(57)【特許請求の範囲】
【請求項１】
ガスコンロ本体の上面にガラス製の天板を被着すると共に天板に設けた窓穴にガスコンロ本体のバーナを挿通し、バーナの外周と上記窓穴縁との間にこれらの間を塞ぐ円環状のバーナリングを配置し、五徳を複数の五徳爪とこの五徳爪を支持する円環状の五徳プレートで形成し、窓穴の周縁で天板の上に五徳プレートを載置すると共に五徳プレートの内周側をバーナリングの外周側の上に重ね、バーナリングの内周が係止し得る段部をバーナの外周に略全周に亙るように設けたガスコンロであって、五徳を金属で形成し、窓穴の縁部とこの縁部から外周に所定距離離れた位置までの間を覆うように五徳プレートを天板の上に載置したことを特徴とするガスコンロ。
【請求項２】
バーナリングの上部の外周に突出する鍔部を天板の窓穴縁の上面に沿わせ、バーナリングの下部外周に環状の線ばねを装着すると共に線ばねの外周に突曲する突曲部を窓穴縁の下面に当接し、上記鍔部と線ばねの突曲部とで天板の窓穴縁を弾性的に挟持して成ることを特徴とする請求項１記載のガスコンロ。
【発明の詳細な説明】
【０００１】
【発明の属する技術分野】
本発明は、ガラス製の天板を用いたガスコンロの構造に関するものである。
【０００２】
【従来の技術及び発明が解決しようとする課題】
近年、ビルドインタイプのガスコンロでは美観等を向上したりするために、ガラス製の天板が用いられるようになってきた。天板はバーナの燃焼で過熱される（特にバーナの周縁部分が高温に過熱される）が、過熱したガラスに冷水をかけると、熱衝撃にて割れる。この現象はガラスに温度差ができ、その曲げ応力に耐えれなくなるからである（熱衝撃破壊）。
【０００３】
ところで、天板としてガラスを用いた場合も、天板の上に五徳が載置されて鍋等の調理器具が支持できるようになっているが、ガラス製の天板が割れると五徳が下に落ちて鍋等の調理器具がひっくり返るという問題がある。
【０００４】
天板としてガラスを用いる場合、天板が割れないようにするためにガラスとして膨張係数０のセラミックスガラスを使用することが考えられるが、この場合、コスト高になると共に天板の機械的強度が弱くなるという問題がある。
【０００５】
またガラスの熱衝撃限界温度ＴAを越えないようにバーナの熱量を抑えることも行われているが、火力が大きくできなくて調理に制約を受ける。
【０００６】
本発明は叙述の点に鑑みてなされたものであって、万一天板が割れても五徳上の鍋等の調理器具がひっくり返るのを防止できるガスコンロを提供することを課題とし、また低コストのガラスを使用し且つバーナの熱量を抑えなくて天板が割れるのを防止できるガスコンロを提供することを課題とする。
【０００７】
【課題を解決するための手段】
上記課題を解決するため本発明の請求項１のガスコンロは、ガスコンロ本体Ａの上面にガラス製の天板１を被着すると共に天板１に設けた窓穴２にガスコンロ本体Ａのバーナ３を挿通し、バーナ３の外周と上記窓穴２縁との間にこれらの間を塞ぐ円環状のバーナリング７を配置し、五徳４を複数の五徳爪５とこの五徳爪５を支持する円環状の五徳プレート６で形成し、窓穴２の周縁で天板１の上に五徳プレート６を載置すると共に五徳プレート６の内周側をバーナリング７の外周側の上に重ね、バーナリング７の内周が係止し得る段部８をバーナ３の外周に略全周に亙るように設け、五徳４を金属で形成し、窓穴２の縁部とこの縁部から外周に所定距離離れた位置までの間を覆うように五徳プレート６を天板１の上に載置したことを特徴とする。万一、ガラス製の天板１が割れたとき、バーナリング７の内周がバーナ３の段部８に係止してバーナリング７がバーナ３に支持され、バーナリング７の外周に五徳４の五徳プレート６の内周が支持されるものであって、五徳４が下方に落下することがないように五徳４がバーナ３に支持されて五徳４の上に載せた鍋９等の調理器具が倒れるおそれがない。天板１の窓穴２の縁部と縁部から外周に所定距離離れた位置までの間とを金属の五徳プレート６にて覆ったことにより、水がかかってもバーナ３の周縁では水が五徳プレート６にかかってガラス製の天板１に直接かかることがなく、また五徳プレート６にかかった水が五徳プレート６の下のガラス製の天板１まで廻っても五徳プレート６で高温に加熱された水が廻ることになり、ガラス製の天板１に大きな熱衝撃がかからなく、ガラス製の天板１が割れるのを防止できる。これにより、低コストのガラスを使用しても天板１が割れるのを防止でき、またバーナ３の熱量を下げなくても割れるのを防止できる。
【０００８】
また本発明の請求項２のガスコンロは、請求項１において、バーナリング７の上部の外周に突出する鍔部１７を天板１の窓穴２縁の上面に沿わせ、バーナリング７の下部外周に環状の線ばね１９を装着すると共に線ばね１９の外周に突曲する突曲部２３を窓穴２縁の下面に当接し、上記鍔部１７と線ばね１９の突曲部２３とで天板１の窓穴２縁を弾性的に挟持して成ることを特徴とする。このようにすることで天板１にバーナリング７を容易に取り付けることができるのは勿論、天板１に衝撃荷重がかかった場合線ばね１９が衝撃を緩和することとなり、ガラス製の天板１でも衝撃荷重にて割れにくくできる。
【００１０】
【発明の実施の形態】
図１に示すようにガスコンロ本体Ａは台所のカウンター１０にビルトインして取り付けてある。ガスコンロ本体Ａのケーシング側板１１の上端のフランジ部１１ａはカウンター１０の開口部１２の周縁の上面に載置してあり、ガスコンロ本体Ａに設けたバーナ台１３の周縁のフランジ部１３ａをフランジ部１１ａに重ねるようにカウンター１０の開口部１２の周縁の上面に載置して形成してある。バーナ台１３には１乃至複数個のバーナ３を所定の位置に装着してある。かかるバーナ３はバーナ本体１４にバーナキャップ１５を着脱自在に載設してある。バーナキャップ１５の上方には煮汁等を受ける受け皿１６を装着してある。
【００１１】
ガスコンロ本体Ａの上面側に被着する天板１はガラス製であり、天板１の上記バーナ３と対応する箇所には窓穴２を穿孔してある。かかるガラス製の天板１の裏面には必要に応じて裏面塗装を施してある。上記窓穴２はバーナ３の外径より大きく、ガスコンロ本体Ａの上面側に天板１を被着した状態で窓穴２内にバーナ３が挿通されて天板１の上面からバーナ３の上部が上方に突出するようになっている。天板１の窓穴２とバーナ３との間を塞ぐバーナリング７は円環状に形成されており、このバーナリング７が窓穴２縁とバーナ３の外周との間に配置されて窓穴２の縁部に装着されている。
【００１２】
バーナリング７の外周の上部には外周方向に突出する鍔部１７を設けてあり、鍔部１７の下面にはオイルコンパウンドのようなシール材１８を設けてあり（オイルコンパウンドの場合には塗布して設けてある）、シール材１８を天板１の窓穴２の縁部の上面に載置してある。バーナリング７の窓穴２に挿通する部分の外径より窓穴２の径を大きくすることによりこれらの間に隙間Ｓを設けてあり、この隙間Ｓにてバーナリング７が隙間Ｓの分だけ水平方向に移動自在になっている。バーナリング７を天板１の窓穴２の縁部に装着する場合、図６に示すように線ばね１９をバーナリング７の下部外周に全周に亙るように設けたばね装着溝２０に装着している。線ばね１９は線ばね１９の両端のうち一端に設けた係止部２１に他端に設けた被係止部２２を係止することにより環状に組み立てられるようになっている。この線ばね１９は平面から見て正六角形のような正多角形に形成されており、各角部を外周方向に突出すると共に上方に突出する突曲部２３としてある。線ばね１９を装着するとき係止部２１と被係止部２２との係止を外した状態で線ばね１９をバーナリング７の外周を囲むように配置し、線ばね１９の各突曲部２３間の部分をばね装着溝２０に嵌合して係止部２１と被係止部２２を係止し、突曲部２３を天板１の窓穴２の縁部の下面に当接する。このように線ばね１９を装着することによりバーナリング７の鍔部１７と線ばね１９とで窓穴２の縁部が弾性的に挟持される。
【００１３】
またバーナリング７の下部から全周に亙って下方にガイド片２４を突設してあり、ガイド片２４の内面に下に向かって径の大きくなる傾斜面２４ａを設けてある。バーナリング７を介装した部分でバーナ３の外周に略垂直面の外周面３ａを設けると共にバーナリング７の内周に略垂直面の内周面７ａを設けてあり、この略垂直面の外周面３ａと略垂直面の内周面７ａを平行に対応させてある。この外周面３ａと内周面７ａとの間にはＯリングのようなシールリング２５を介装してあり、このシールリング２５にてこれらの間をシールしてある。バーナリング７の内周の上部には内周方向に突出する突縁２６を全周に亙って設けてあり、突縁２６を外周面３ａに近接させてある。またバーナ３の上記外周面３ａの下端には全周に亙るように段部８を設けてあり、この段部８にシールリング２５が載っている。通常この段部８と内周面７ａの下端との間には間隙を隔ててある。また段部８はバーナリング７が下降したときバーナリング７の外周が係止してバーナリング７を受けるようになっている。
【００１４】
金属製の五徳４は複数本の五徳爪５とこの五徳爪５を支持する円環板状の五徳プレート６とで形成されており、天板１の窓穴２の周縁の上面に五徳プレート６を載置することでバーナ３の上部の外周にセットしてある。五徳プレート６は所定の幅を全周に亙って有する円環状の平板であり、窓穴２の縁部とこの縁部から所定距離離れた外周位置までの範囲で天板１の上面を覆ってある。また五徳プレート６の内周側には全周に亙るように重ね合わせ部２８を設けてあり、重ね合わせ部２８をバーナリング７の鍔部１７の上に重ねてある。また五徳プレート６の内周の適所には半円状の位置決め凹部３３を設けてあり、バーナリング７には半円状の位置決め凸部３４を設けてあり、五徳プレート６を天板１の上に載置した状態で位置決め凹部３３と位置決め凸部３４とが嵌合して五徳４の周方向の位置決めがされるようになっている。天板１の外周には外周に沿ってサッシ枠２９を配置してあり、サッシ枠２９を押さえばね３０にて天板１に取り付けてあり、サッシ枠２９をカウンター１０の上面に載置してある。サッシ枠２９の下面にはパッキン３５が装着してあり、パッキン３５をカウンター１０の上面に弾接させてある。
【００１５】
上記のようにガスコンロが構成されているが、カウンター１０にセットする施工をする場合は次のように行われる。天板１を取り外した状態でガスコンロ本体Ａがカウンター１０の開口部１２からビルトインして取り付けられる。このときバーナ３の外周面３ａにシールリング２５を予め装着してある。この状態で窓穴２にバーナリング７を装着した天板１が図７に示すようにガスコンロ本体Ａの上方に配置され、この状態から天板１がガスコンロ本体Ａの上面側に被着され、バーナリング７がバーナ３に挿通され、サッシ枠２９がカウンター１０の上面に載置される。バーナリング７がバーナ３に挿通されたときバーナリング７の内周面７ａとバーナ３の外周面３ａとの間にシールリング２５が介装される。このように天板１を被着した後に天板１の上に五徳４がセットされる。天板１の掃除等のメンテナンスを行うときも五徳４を外した後、天板１が上に抜き取るように取り外され、再び上記と同様にセットされる。
【００１６】
上記ように天板１が取り付けられるが、バーナリング７の内周面７ａとバーナ３の外周面３ａとの間にシールリング２５を介装してシールしているためにバーナ３の設置位置の精度にばらつきがあってもシールリング２５にてバーナリング７とバーナ３との間を確実にシールできる。またバーナ３の設置位置の精度に水平方向の位置のばらつきがあってもバーナリング７が隙間Ｓの分だけ水平方向に移動することにより吸収することができる。
【００１７】
上記のように構成せるガスコンロを使用するときは、図１のように五徳４の五徳爪５の上に鍋９のような調理器具が載置され、バーナ３で燃焼させることにより鍋９のような調理器具が加熱される。このようにバーナ３で燃焼させているとき天板１も加熱されて天板１の温度が上がる。このとき天板１はバーナ３に近い部分は高温に過熱されるが、バーナ３から離れた部分はさほど過熱されない。つまり、バーナ３に近い部分の天板１の温度をＴ1、バーナ３から離れた部分の天板１の温度をＴ2としたとき、Ｔ1＞＞Ｔ2の関係となっている。このようにバーナ３から離れた位置では天板１がさほど過熱されないため天板１に水がかかっても天板１に熱衝撃が加わって天板１が割れるおそれがない。またバーナ３に近い部分では天板１が高温に過熱されるが、この部分は金属製の五徳４の五徳プレート６にて覆われているため、水がかかっても五徳プレート６にかかって天板１に水が直接かかることがなく、天板１に熱衝撃がかかって天板１が割れることがない。また五徳プレート６にかかった水が五徳プレート６の下面側に廻ることがあっても、五徳プレート６にかかった水は高温の五徳４で加熱されて水の温度が高温（１００℃程度）に加熱されてから五徳プレート６の下面側に廻って天板１と接触するために天板１に熱衝撃がかかって天板１が割れることがない。さらにいうと、上記のように五徳プレート６にかかった水が１００℃近くなって天板１に到達するために、天板１のガラスの熱衝撃限界温度はＴAであるが、Ｔ1＝ＴA＋１００℃まで天板１の温度が上がってもよいこととなる。
【００１８】
上記のように五徳４の上に鍋９のような調理器具を載せて加熱調理がされるが、このとき万が一ガラス製の天板１が割れた場合、図８に示すようにバーナリング７の内周がバーナ３の段部８に係止してバーナリング７がバーナ３に支持され、バーナリング７の外周の鍔部１７に五徳４の重ね合わせ部２８が載った状態であり、五徳４がバーナリング７を介してバーナ３に支持される。これにより五徳４の上に鍋９のような調理器具が載っていても倒れるがおそれがない。
【００１９】
【発明の効果】
本発明の請求項１の発明は、ガスコンロ本体の上面にガラス製の天板を被着すると共に天板に設けた窓穴にガスコンロ本体のバーナを挿通し、バーナの外周と上記窓穴縁との間にこれらの間を塞ぐ円環状のバーナリングを配置し、五徳を複数の五徳爪とこの五徳爪を支持する円環状の五徳プレートで形成し、窓穴の周縁で天板の上に五徳プレートを載置すると共に五徳プレートの内周側をバーナリングの外周側の上に重ね、バーナリングの内周が係止し得る段部をバーナの外周に略全周に亙るように設けたので、万一、ガラス製の天板が割れたとき、バーナリングの内周がバーナの段部に係止してバーナリングがバーナに支持され、バーナリングの外周に五徳の五徳プレートの内周が支持されるものであって、五徳が下方に落下することがないように五徳がバーナに支持されて五徳の上に載せた鍋等の調理器具が倒れるおそれがないものである。更に、五徳を金属で形成し、窓穴の縁部とこの縁部から外周に所定距離離れた位置までの間を覆うように五徳プレートを天板の上に載置したので、天板の窓穴の縁部と縁部から外周に所定距離離れた位置までの間を金属の五徳プレートにて覆うことになり、水がかってもバーナの周縁では水が五徳プレートにかかってガラス製の天板に直接かかることがなく、また五徳プレートにかかった水が五徳プレートの下のガラス製の天板まで廻っても五徳プレートで高温に加熱された水が廻ることになり、ガラス製の天板に大きな熱衝撃がかからなく、ガラス製の天板が割れるのを防止できるものであり、従って、低コストの強化ガラスを使用しても天板が割れるのを防止でき、またバーナの熱量を下げなくても天板が割れるのを防止できるものである。
【００２０】
また本発明の請求項２の発明は、請求項１において、バーナリングの上部の外周に突出する鍔部を天板の窓穴縁の上面に沿わせ、バーナリングの下部外周に環状の線ばねを装着すると共に線ばねの外周に突曲する突曲部を窓穴縁の下面に当接し、上記鍔部と線ばねの突曲部とで天板の窓穴縁を弾性的に挟持しているので、天板にバーナリングを容易に取り付けることができるのは勿論、天板に衝撃荷重がかかった場合線ばねが衝撃を緩和することとなり、ガラス製の天板でも衝撃荷重にて割れにくくできるものである。
【図面の簡単な説明】
【図１】本発明の実施の形態の一例の一部省略断面図である。
【図２】同上の要部を拡大せる断面図である。
【図３】同上のガスコンロ本体を示す平面図である。
【図４】同上の五徳を載置した部分の斜視図である。
【図５】同上の五徳を示し、（ａ）は平面図、（ｂ）は正面から見た断面図である。
【図６】同上のバーナリングに線ばねを装着した状態の底面図である。
【図７】同上の天板をセットする状態を説明する要部の分解断面図である。
【図８】同上の天板が割れたときの動作を説明する断面図である。
【符号の説明】
Ａ  ガスコンロ本体
１  天板
２  窓穴
３  バーナ
４  五徳
５  五徳爪
６  五徳プレート
７  バーナリング
８  段部
【図１】
0004520592.tif 000002
【図２】
0004520592.tif 000003
【図３】
0004520592.tif 000004
【図４】
0004520592.tif 000005
【図５】
0004520592.tif 000006
【図６】
0004520592.tif 000007
【図７】
0004520592.tif 000008
【図８】
0004520592.tif 000009